(57)【要約】【課題】かゆみ・かぶれ・蒸れが無く、磁石の取替えをすることなく繰返し使用できる磁気治療器を提供する。【解決手段】シリコン製の貼付パッド１に磁石４を埋設しており、貼付パッド１の一面が人体に貼付する治療面３であり、非治療面は人工皮膚膜２で被覆されている。治療面３には離形紙５が貼付されている。シリコンを成分とした素材を用いることで、衛生的かつ安全であり、かゆみ・かぶれ・蒸れが解消し、貼付パッド１を水または中性洗剤でもみ洗いすることで何度も使用できる。【選択図】図１
2005328907.tif 000002
【特許請求の範囲】
【請求項１】
シリコンを主材とする貼付パッドに磁石を埋設した
ことを特徴とする磁気治療器。
【請求項２】
貼付パッドの一面が人体に貼付する治療面であり、治療面以外の非治療面は人工皮膚膜で被覆されている
ことを特徴とする請求項１記載の磁気治療器。
【請求項３】
前記貼付パッドに、チタンが混入されている
ことを特徴とする請求項１記載の磁気治療器。
【請求項４】
前記貼付パッドに、トルマリンが混入されている
ことを特徴とする請求項１記載の磁気治療器。
【請求項５】
前記貼付パッドに、ゲルマニウムが混入されている
ことを特徴とする請求項１記載の磁気治療器。
【請求項６】
前記治療面に離形紙が貼付されている
ことを特徴とする請求項２記載の磁気治療器。
【発明の詳細な説明】
【技術分野】
【０００１】
本発明は、磁気治療器に関する。さらに詳しくは、人体の血行を良くしたり、筋肉のこりをほぐしたりするために用いられる磁気治療器に関する。
【背景技術】
【０００２】
従来の磁気治療器としては、米国特許第４１６２６７２号公報に記載されたものがある。この従来例は、絆創膏仕様の粘着シートに小粒の磁石を貼付したものである。使用時には、粘着シートを人体に貼り付けて、磁石を人体表面に固定して用いられる。
【０００３】
ところで、従来の絆創膏タイプの粘着シートは少なからず、かゆみ・かぶれ・蒸れなどが発生し、また、個人差はあるが皮膚アレルギーの問題が発生していた。その理由は、以下のとおりである。
磁石にはニッケルメッキや金メッキなどが施されているが、これらの金属と汗によって皮膚がかぶれるのを防ぐため、粘着剤の中には亜鉛華軟膏が入れられている。また絆創膏の汗対策だけを考えれば、通気性を良くすればよいのであるが、通気性をよくするだけであれば、粘着剤中の亜鉛華軟膏が表面に染み出して皮膚を守るものが少なくなり、よけいにかぶれがひどくなる可能性がある。
なおかつ、絆創膏仕様の粘着シートは、その耐久性が短いので、数週間という短期間で張替えが必要であり、磁石ごと交換するかまたは磁石をもぎ取って張り替え用絆創膏に磁石を装着しなければならなかった。
【０００４】
【特許文献１】米国特許第４１６２６７２号
【発明の開示】
【発明が解決しようとする課題】
【０００５】
本発明は上記事情に鑑み、かゆみ・かぶれ・蒸れが無く、磁石の取替えをすることなく繰返し使用できる磁気治療器を提供することを目的とする。
【課題を解決するための手段】
【０００６】
第１発明の磁気治療器は、シリコンを主材とする貼付パッドに磁石を埋設したことを特徴とする。
第２発明の磁気治療器は、第１発明において、貼付パッドの一面が人体に貼付する治療面であり、治療面以外の非治療面は人工皮膚膜で被覆されていることを特徴とする。
第３発明の磁気治療器は、第１発明において、前記貼付パッドに、チタンが混入されていることを特徴とする。
第４発明の磁気治療器は、第１発明において、前記貼付パッドに、トルマリンが混入されていることを特徴とする。
第５発明の磁気治療器は、第１発明において、前記貼付パッドに、ゲルマニウムが混入されていることを特徴とする。
第６発明の磁気治療器は、第２発明において、前記治療面に離形紙が貼付されていることを特徴とする。
【発明の効果】
【０００７】
第１発明によれば、シリコンを主材とした素材を用いることで、衛生かつ安全であり、かゆみ・かぶれ・蒸れが解消し、粘着シートも水または中性洗剤でもみ洗いすることで何度も使用できることになる。したがって、絆創膏を交換する際の磁石の取り外しおよび取付けの手間隙がなくなる。
第２発明によれば、非治療面が人工皮膚膜で覆われているので、べとつくことなく快適に使用できる。
第３発明によれば、貼付パッドにチタンが混入されているので身体の不快症状が改善される。
第４発明によれば、貼付パッドにトルマリンが混入されているので、マイナスイオンを発することにより疲労回復や血行を良くするなどの効果が生ずる。
第５発明によれば、血液を浄化し、コレステロールを分解し、新陳代謝を促進する。
第６発明によれば、離形紙により治療面が覆われているので、使用前の汚れを防止できる。
【発明を実施するための最良の形態】
【０００８】
つぎに、本発明の実施形態を図面に基づき説明する。
図１は本発明の一実施形態に係る磁気治療器の断面図である。図２は同磁気治療器の斜視図である。
【０００９】
図１および図２に示すように、１は貼付パッドであり、シリコンを主材とするパッドである。貼付パッド１の非治療面、すなわち外側は人工皮膚膜２で覆われている。人工皮膚膜２の付いていない側は、人体に貼られる治療面３である。貼付パッド１の中に中心より少し外側に寄って磁石４が埋め込まれている。治療面３側には離形紙５が貼付されている。
貼付パッド１の形状は、円形・四角形・長方形・星形・楕円形・ひし形・ひょうたん形など、自由な形状を採用できる。また、その大きさは従来の絆創膏タイプと同等の小さなものでもよく、それより大形のものであってもよい。
【００１０】
貼付パッド１の主材であるシリコンは、主成分として、二酸化珪素を含むシリコンゴムの一種である。人工皮膚膜２は、ポリウレタン製のフィルムである。
シリコンやポリウレタンは、医療用材料であるため、無毒、無害、無アレルギーで人体に安全である。
磁石４としては、フェライト・ネオジウム・サマリュウム・コバルトなどの磁石がとくに制限なく利用できる。
離形紙５としては、ポリプロピレン・ポリエチレン・セロハン系・不織布・タイベックスなど、公知のものがとくに制限なく利用できる。
【００１１】
貼付パッド１のシリコンには、チタンやトルマリン、ゲルマニウムを混入させてもよい。
この場合は、つぎの利点がある。
（チタンの利点）
人体には、非常に微細な電気が流れていて、人の筋肉はこの電流に反応して動いている。ところが、何らかの理由でこの微細な電気バランスが崩れると、人体中に流れる生体電流が乱れてしまい、その結果、肩こり・腰痛・頭痛・目眩・耳鳴り・下痢・便秘・目の痛みなどの色々な不快症状が起きる。しかるに、チタンは、生体電流の乱れを速やかに整える力が強いので、上記不快症状が改善される。
【００１２】
（トルマリンの利点）
トルマリンはマイナスイオンを発生する。呼吸や皮膚から取り入れられたマイナスイオンは、血液をとおして体全体をめぐり、細胞内の脂肪が酸化して（疲労の原因となる）乳酸菌が生成されるのを抑える。そのため新陳代謝を活発にし、各細胞の機能を活性化させ、疲労の回復を促進する効果がある。また、自律神経の機能がよくなるため、内分泌腺の機能も良好となり、中枢神経や末梢神経にも好影響を与え、増血機能も増進する。そのため、抵抗力も増加し、身体全体のバランスも良くなる。マイナスイオンは体全体の働きを静めてくれ、血管は拡張され、血圧は正常になり、血液もアルカリ性傾向になって血液が盛んになってくる。呼吸数も脈拍も減少し、疲労も回復しやすくなる。自律神経も安定しやすく、交感神経が活発に働きすぎたときは抑える働きをする。
【００１３】
（ゲルマニウムの利点）
人体の肌と接触し３２度以上の熱を受けると血液の中に電子移動がなされ、酸性状態やアルカリ性状態の血液をゲルマニウムの陰イオン電子反応作用などから陽イオンになって正常の血液を維持させる神秘的な作用を起こす。科学的にも付加化合物をよく作り出す特性があり、その付加和合能力によって血管壁に付着しているコレストロール重合体を流動性のアルコール化合物に分解して排泄させる。３２度以上の無機ゲルマニウムが肌と接触すると良質の酸素を各組織に供給し、酸素が多く供給されれば血液の流れが良くなり細胞の活動が活発になって、新陳代謝を促進させて死滅する細胞を蘇生させる。無機ゲルマニウムは血液の中の不純物をなくし血液を浄化する人工透析作用も行う。
【００１４】
シリコンを主成分とした素材を用いることで、衛生的かつ安全であり、かゆみ・かぶれ・蒸れが解消する。また貼付パッド１は、水または中性洗剤でもみ洗いすることで何度も使用できるので、繰返し使用性が高くなる。また、磁石４は貼付パッド１中に埋設されているので、繰返し使用をする度に磁石の取り外しや取付けをする必要がなく、使い勝手が良くなる。
【図面の簡単な説明】
【００１５】
【図１】本発明の一実施形態に係る磁気治療器の断面図である。
【図２】同磁気治療器の斜視図である。
【符号の説明】
【００１６】
１    貼付パッド
２    人工皮膚膜
３    治療面
４    磁石
５    離形紙
【図１】
2005328907.tif 000003
【図２】
2005328907.tif 000004